(57)【特許請求の範囲】
【請求項１】
物品を収納するための収納部を有し、上部が開放されて販売用陳列ケースとして用いられる本体と、前記本体の開放された上部を閉塞する蓋体と、を備え、
前記蓋体の正面側の側壁部には破断線によって分離可能な正面分離板を有し、前記正面分離板を除去すると正面分離窓が形成されて内容物が見える状態になり、前記正面分離窓を形成した前記蓋体を除去すると前記本体が内容物を販売する展示販売用の箱として用いることができるように、前記本体と前記蓋体とが組合わされる包装箱であって、
前記蓋体の正面側の側壁部の前記破断線によって囲まれた領域にＵ字状であって両端が幅方向の内側に向くように傾斜され、押圧破断して指が入る大きさの開口を形成し、該開口に指を引掛けて前記蓋体の正面側の側壁部の前記正面分離板の部位を破断する切込みと、
前記開口の上部と対応する位置において前記切込みが欠如されて成る連結部と、
前記切込みが欠如された前記連結部の位置よりも前記切込みの先端側に横方向に延びた折曲げ線と、を具備し、
前記切込みを破断して外側から内側に折返すと、前記開口と整合する形状の前記切込みの根元側を中心に折返された第１の折返し片または前記折曲げ線に沿って折返された第２の折返し片が形成可能であり、
前記第１の折返し片および前記第２の折返し片の横方向の大きさが２０〜４０ｍｍの値である包装箱。
【請求項２】
段ボールによって組立てられ、前記折曲げ線は、前記蓋体の正面側の側壁部の前記開口を形成するための前記Ｕ字状の切込みが欠如された連結部の位置よりも前記切込みの先端側の全幅に横方向に延びており、前記折曲げ線の横方向の中間部と重合うように少なくとも裏側のライナに切込みを有する請求項１に記載の包装箱。
【請求項３】
前記蓋体の正面側の側壁部の正面分離板と対応する領域の切込みの途中の部位に連結されたつなぎ部を有し、該つなぎ部と同じ高さかその下側に前記折曲げ線を有した請求項１または２に記載の包装箱。
【請求項４】
前記蓋体の正面側の側壁部の前記破断線によって分離可能な正面分離板の所定の部位と前記本体の正面側側壁部の一部の切断可能な正面分離板の部分とが互いに接着されており、前記蓋体の正面分離板のところで前記正面側側壁部に正面分離窓を形成して破断すると、前記本体の前記正面分離板が一緒に破断される請求項１乃至３のいずれかに記載の包装箱。
【請求項５】
前記蓋体の前記破断線によって分離可能な正面分離板の内側の領域の前記Ｕ字状の切込みの上側であって前記切込みが欠如された連結部の位置の上側で前記本体の前面側側壁部の前記正面分離板が接合され、該接合された前記正面分離板の下縁を迂回するように前記折返し片が内側に折返される請求項４に記載の包装箱。
【請求項６】
前記蓋体の前記正面分離板の側端に対して前記本体の前記正面分離板の幅方向の両側端がほぼ一致するか１０ｍｍ以内の寸法差で内側に偏倚している請求項４または５に記載の包装箱。
【発明の詳細な説明】
【技術分野】
【０００１】
本発明は、包装箱に係り、とくに内容物を収納する本体と、上記本体に組合わされて上部開口を覆うようにした蓋体とを具備し、上記蓋体の正面部に破断可能な正面分離板を備え、上記蓋体の正面分離板を除去すると正面分離窓が形成され、この正面分離窓を通して内容物が正面から見えるようにするとともに、正面分離窓を形成した蓋体を除去すると本体側の部分がそのまま内容物を販売する際の展示販売用の箱として用いることができる包装箱に関する。
【背景技術】
【０００２】
例えば特表２００９−５３３２８６号公報（特許文献１）に示されるように、従来より、流通過程にある商品等を収納するとともに、この商品を展示するための箱体としても機能する展示用収納箱として利用することが可能な包装箱が知られている。この種の包装箱は、展示する際に上部の蓋体を破断して除去し、これによって本体の部分に収納された内容物がそのまま露出するようになっており、これによって店頭での展示販売が行ない得るようになっている。
【０００３】
ところが上述のような特許文献１に記載の包装箱は、開封作業を行なう際の破断箇所が複数個あるとともに、それぞれの箇所の破断の際にかなりの力を要するために、破断の開封の作業が効率的に行なわれない問題があった。
【０００４】
また、上記特許文献１記載の包装箱においては、蓋体に分離板を具備してはいない。そのために多段に包装箱を陳列して展示する場合には、最上段に位置する包装箱は蓋体を除去して展示することになるために内容物が見えるが、最上段よりも下側であって二段目よりも下側に位置する包装箱は、蓋体を除去しない限り内容物を見ることができない問題があった。そこで、特開２０１１−２４６１４０号公報（特許文献２）には、蓋体の正面板に正面分離板を具備する包装箱が提案されている。ここで正面分離板には、破断線によって開口ができるようになっている。
【０００５】
ところが上記の包装箱においては、開口を形成するのに指で押圧しあるいは突いて形成させるが、相当な力を要するために、作業者によっては、とくに力が弱い女性等の場合には、開口を上手く形成することができず、これによって正面分離板を除去できない場合があった。
【先行技術文献】
【特許文献】
【０００６】
【特許文献１】特表２００９−５３３２８６号公報
【特許文献２】特開２０１１−２４６１４０号公報
【発明の概要】
【発明が解決しようとする課題】
【０００７】
本願発明が解決しようとする課題は、物品を収納して物流に供することができるとともに、指等で前面側の所定の部位を押しあるいは突くことによって、容易に正面分離板を除去するための開口を形成することができ、正面分離板を除去することによって、多段に陳列した場合においても、上から二段目以降の下側の包装箱の蓋体を除去することなく内容物を見せることができるようにし、さらに正面分離板を除去した蓋体を除去することによって開封できるようにするとともに、開封の効率性が改善され、展示販売の際にはこの包装箱の本体部分が展示販売用のケースとして利用できるようにした包装箱を提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、
物品を収納するための収納部を有し、上部が開放されて販売用陳列ケースとして用いられる本体と、前記本体の開放された上部を閉塞する蓋体と、を備え、
前記蓋体の正面側の側壁部には破断線によって分離可能な正面分離板を有し、前記正面分離板を除去すると正面分離窓が形成されて内容物が見える状態になり、前記正面分離窓を形成した前記蓋体を除去すると前記本体が内容物を販売する展示販売用の箱として用いることができるように、前記本体と前記蓋体とが組合わされる包装箱であって、
前記蓋体の正面側の側壁部の前記破断線によって囲まれた領域にＵ字状であって両端が幅方向の内側に向くように傾斜され、押圧破断して指が入る大きさの開口を形成し、該開口に指を引掛けて前記蓋体の正面側の側壁部の前記正面分離板の部位を破断する切込みと、
前記開口の上部と対応する位置において前記切込みが欠如されて成る連結部と、
前記切込みが欠如された前記連結部の位置よりも前記切込みの先端側に横方向に延びた折曲げ線と、を具備し、
前記切込みを破断して外側から内側に折返すと、前記開口と整合する形状の前記切込みの根元側を中心に折返された第１の折返し片または前記折曲げ線に沿って折返された第２の折返し片が形成可能であり、
前記第１の折返し片および前記第２の折返し片の横方向の大きさが２０〜４０ｍｍの値である包装箱に関するものである。
【００１０】
ここで、段ボールによって組立てられ、前記折曲げ線は、前記蓋体の正面側の側壁部の前記開口を形成するための前記Ｕ字状の切込みが欠如された連結部の位置よりも前記切込みの先端側の全幅に横方向に延びており、前記折曲げ線の横方向の中間部と重合うように少なくとも裏側のライナに切込みを有してよい。また前記蓋体の正面側の側壁部の正面分離板と対応する領域の切込みの途中の部位に連結されたつなぎ部を有し、該つなぎ部と同じ高さかその下側に前記折曲げ線を有してよい。また前記蓋体の正面側の側壁部の前記破断線によって分離可能な正面分離板の所定の部位と前記本体の正面側側壁部の一部の切断可能な正面分離板の部分とが互いに接着されており、前記蓋体の正面分離板のところで前記正面側側壁部に正面分離窓を形成して破断すると、前記本体の前記正面分離板が一緒に破断されてよい。また前記蓋体の前記破断線によって分離可能な正面分離板の内側の領域の前記Ｕ字状の切込みの上側であって前記切込みが欠如された連結部の位置の上側で前記本体の前面側側壁部の前記正面分離板が接合され、該接合された前記正面分離板の下縁を迂回するように前記折返し片が内側に折返されてよい。また前記蓋体の前記正面分離板の側端に対して前記本体の前記正面分離板の幅方向の両側端がほぼ一致するか１０ｍｍ以内の寸法差で内側に偏倚していてよい。
【発明の効果】
【００１１】
本願の主要な発明は、
物品を収納するための収納部を有し、上部が開放されて販売用陳列ケースとして用いられる本体と、前記本体の開放された上部を閉塞する蓋体と、を備え、
前記蓋体の正面側の側壁部には破断線によって分離可能な正面分離板を有し、前記正面分離板を除去すると正面分離窓が形成されて内容物が見える状態になり、前記正面分離窓を形成した前記蓋体を除去すると前記本体が内容物を販売する展示販売用の箱として用いることができるように、前記本体と前記蓋体とが組合わされる包装箱であって、
前記蓋体の正面側の側壁部の前記破断線によって囲まれた領域にＵ字状であって両端が幅方向の内側に向くように傾斜され、押圧破断して指が入る大きさの開口を形成し、該開口に指を引掛けて前記蓋体の正面側の側壁部の前記正面分離板の部位を破断する切込みと、
前記開口の上部と対応する位置において前記切込みが欠如されて成る連結部と、
前記切込みが欠如された前記連結部の位置よりも前記切込みの先端側に横方向に延びた折曲げ線と、を具備し、
前記切込みを破断して外側から内側に折返すと、前記開口と整合する形状の前記切込みの根元側を中心に折返された第１の折返し片または前記折曲げ線に沿って折返された第２の折返し片が形成可能であり、
前記第１の折返し片および前記第２の折返し片の横方向の大きさが２０〜４０ｍｍの値としたものである。
【００１２】
従ってこのような包装箱は、蓋体の正面側の側壁部の破断線によって囲まれた正面分離板と対応する領域に形成された切込みを押圧破断することによって指が入る大きさの開口が形成できるようになり、しかもこの開口を利用して正面分離板を除去することによって前面側に正面分離窓が形成される。従って多段式に陳列した場合において、上から二段目以降の包装箱については蓋体を除去することなく上記正面分離窓を通して内容物を見ることができる。また正面分離窓の上縁の部分に指を掛けて上方に引くと、蓋体を除去することができ、開封の効率性が改善される。そして蓋体を除去した包装箱を、展示販売用のケースとして利用することができるようになる。
【図面の簡単な説明】
【００１３】
【図１】本体を構成する段ボールシートの展開平面図である。
【図２】蓋体を構成する段ボールシートの展開平面図である。
【図３】本体と蓋体との組合わせを示す分解斜視図である。
【図４】組立てられた包装箱の正面側から見た外観斜視図である。
【図５】組立てられた包装箱の背面側から見た外観斜視図である。
【図６】蓋体を本体に対して背面側に９０度回転させて蓋体を除去する動作を示す外観斜視図である。
【図７】蓋体を本体に対して９０度背面側に回転させた状態の縦断面図である。
【図８】蓋体の正面の正面分離板の部分の構成を示す拡大正面図である。
【図９】蓋体の正面分離板に形成されたＵ字状切込みを利用して正面分離板を分離する動作を示す拡大断面図である。
【発明を実施するための形態】
【００１４】
以下本願発明を図示の実施の形態によって説明する。図１は本実施の形態に係る包装箱の本体（身）１１を組立てるために打抜かれた段ボールシートの展開平面図である。この段ボールシートは、左から左側板１２、正面板１３、右側板１４、背面板１５を備え、これらが互いに折曲げ線１６によって折曲げ可能に連結されている。また左側の左側板１２の左端には折曲げ線１７を介して接合板１８が連結されている。そして接合板１８には糊２２が塗布され、この糊２２によって接合板１８を介して左側板１２を背面板１５の端部に連結し、四角筒状に組立てるようにしている（図３〜図５参照）。
【００１５】
図１に示す段ボールシートの左側板１２の上端であって傾斜部と平坦部との境界部分の上縁に接合片２３が破断線２４を介して破断可能に連結されている。この接合片２３には、後述する蓋体４５の左側板４６の内側に糊付けされるように糊２１が塗布されている。接合片２３は、蓋体４５に対して本体１１がずれないようにするためのものである。
【００１６】
図１の段ボールシートの正面板１３には、破断線２６によって囲まれるようにほぼ正方形の正面分離板２５が設けられている。この正面分離板２５の下端には、破断線２６を横切るように開口２７が形成されている。この開口２７は、正面分離板２５が正面板１３から分離されたときに、下方部分が残って下方に切込まれた切込みを形成することになる。また正面分離板２５には糊２８が塗布されたおり、この糊２８によって正面分離板２５は後述する蓋体４５の正面板４７の正面分離板５７の部分に糊付けされるようになっている。
【００１７】
また上記右側板１４と背面板１５との間に設けられている折曲げ線１６を遮断するようにスリット状開口２９が設けられている。このスリット状開口２９の下端側は回動支点３０を構成している。また背面板１５には背面分離板３１が設けられ、破断線３２によって画成されている。そして背面分離板３１には糊３３が塗布されており、この糊３３によって背面分離板３１が、蓋体４５の背面板４９に接合されるようにしている。
【００１８】
図１に示す本体１１を構成する段ボールシートの下端側には、その左側板１２および右側板１４の下端に折曲げ線３７を介して底板３８が折曲げ可能に連設されている。また図１のシートの正面板１３および背面板１５の下端側には折曲げ線３９を介して底部フラップ４０が折曲げ可能に連結されている。これらの底板３８と底部フラップ４０とによって、この包装箱の底部が構成され、閉塞された有底の包装箱となる。なお底板３８の先端側の中間部分には半円形の切込み４１が設けられ、底板３８の開封を容易にしている。
【００１９】
次に本体１１の上部に装着されて上部開口を閉塞する蓋体４５について説明する。蓋体４５は図２に示すように打抜かれた段ボールシートを組立てて構成される。すなわちこの段ボールシートは、左から左側板４６、正面板４７、右側板４８、背面板４９を備え、これらが折曲げ線５０によって互いに折曲げ可能に連結されている。そして右端の背面板４９の先端側の部分には二重の互いに平行な折曲げ線５１を介して接合板５２が連結されている。接合板５２には糊５３が塗布されており、この糊５３が反対側の左側板４６に糊付けされて左側板４６と接合板５２とが接合され、これによって四角筒状に組立てられるようになっている。
【００２０】
図２に示すシートの左側板４６と右側板４８の底部の屈曲した下端には斜め下方に延びるミシン目５６が形成されている。また正面板４７には正面分離板５７が破断線５８によって画成されて形成されている。なお正面分離板５７の下端側においては、正面板４７に浅い切込み５９が形成されている。そして正面分離板５７の内側であって下方の部分にはＵ字状切込み６０が形成されている。このＵ字状切込み６０の両端側の部分は内側へ斜めに向くように傾斜した傾斜部６１になっている。傾斜部６１の途中には、切込みが遮断されて連結つなぎ部６４が形成されている（図８参照）。そして傾斜部６１の終端側において切込み６０が欠如されており、これによって欠如部から成る連結部６２が設けられている。また上記連結部６２よりも下側であってＵ字状切込み６０の内側には横方向に延びる折曲げ線６３が形成されている。折曲げ線６３においては、裏ライナが切断されている。なお必要に応じて表ライナも切断されてよい。なお折曲げ線６３は、上記連結つなぎ部６４と同じ高さかそれよりもやや下側に位置している（図８参照）。このような折曲げ線６３を備えるＵ字状切込みの内側の部分が、後述する折返し片７２を構成することになる。
【００２１】
図２に示す段ボールシートの左側板４６と右側板４８の上端には、折曲げ線６７を介して蓋板６８が折曲げ可能に連結されている。また正面板４７および背面板４９の上端には、折曲げ線６９を介して上部フラップ７０が連設されている。また上記蓋板６８の先端側の中間部分には半円形の切込み７１が形成され、これによって蓋板６８を開封するのを容易にしている。
【００２２】
次に上述のような構成に係る本体１１の段ボールシート（図１参照）と蓋体４５の段ボールシート（図２参照）とを用いてこの包装箱を組立てる動作を説明する。包装箱の組立ての動作は、図２に示す蓋体４５の段ボールシートの上側に図１に示す本体１１の段ボールシートを互いに重合わせる。なおこのときに、本体１１側の段ボールシートの接合片２３の糊２１を蓋体４５の左側板４６の表面に糊付けし、本体１１の正面分離板２５の糊２８を蓋体４５の正面分離板５７に糊付けし、さらに本体１１の背面分離板３１の糊３３を蓋体４５の背面板４９に糊付けする。これによって下側の蓋体４５の段ボールシートと上側の本体１１の段ボールシートとが互いに位置決めされた状態でずれないように保持される。そして本体１１の段ボールシートと蓋体４５の段ボールシートとをそれぞれ折曲げ線１６、５０のところで折曲げて二重構造の包装箱を一挙に組立てるようにする。なおここでは、説明の便宜上、本体１１の組立てと蓋体４５の組立てとを、別々に説明する。
【００２３】
まず図３〜図５に示す包装箱の下側の本体１１を組立てる動作を説明する。この動作は、折曲げ線１６によって左側板１２、正面板１３、右側板１４、背面板１５を互いに折曲げて四角筒状にし、接合板１８を糊２２によって反対側の背面板１５の端の部分に接着し四角筒体を組立てる。そしてこの後に、正面板１３および背面板１５の下端側の底部フラップ４０を折曲げ線３９によって内側へ折曲げる。そしてその後に左右両側板１２、１４の下端側の部分の底板３８を折曲げ線３７によって内側へ折曲げて糊付けする。これによって本体１１の底部開口が閉塞され、上方が開放された本体（身）１１が組立てられる（図３参照）。
【００２４】
一方蓋体４５は、図２に示す段ボールシートを折曲げて組立てられる。すなわち段ボールシートを折曲げ線５０のところで順次折曲げることによって四角筒状にし、接合板５２を糊５３によって左側板４６の端部に糊付けし、四角筒状の形状とする。そして正面板４７および背面板４９の上端の上部フラップ７０を折曲げ線６９のところで内側に折曲げる。この後に、左右両側板４６、４８の上端側の部分の蓋板６８を折曲げ線６７によって内側へ折曲げ、上部フラップ７０の外側に重合わせて糊付けする。これによって上部開口が閉塞されて蓋体４５が組立てられる（図３〜図５参照）。
【００２５】
ここでこの包装箱は、本体１１の所定の部位と蓋体４５の所定の部位とが互いに糊付けされて結合されるようになっている。すなわち本体１１の正面板１３に破断線２６を介して画成された正面分離板２５上の糊２８を、蓋体４５の正面板４７の内側であって破断線５８によって囲まれた正面分離板５７の内側に接合する。また本体１１の背面板１５に破断線３２を介して画成されて形成された背面分離板３１を糊３３によって蓋体４５の背面板４９の内表面に接合する。さらに、本体１１の左側板１２の上縁に破断線２４を介して連設された接合片２３を蓋体４５の左側板４６の内表面に予め糊付けして接合しておく。また本体１１の内部空間には、この包装箱によって物流に供され、あるいはまた販売に供される物品が正しく整列されて収納されている。なおここでは、内部の収納される物品については、その図示を省略している。
【００２６】
次にこのような構成に係る本体１１と蓋体４５とから成る包装箱を開封する動作を図６および図７によって説明する。内部に所定の物品が収納された本体（身）１１の上部開口を蓋体４５で覆った包装箱は、閉じた状態においてはその外観形状が図４および図５のようになっている。ここで蓋体４５の正面板４７に破断線５８を介して画成された正面分離板５７を、Ｕ字状切込み６０を利用して折返し片７２の部分を内側へ押し、この折返し片の下から指を掛けて上方に引く。これによって、蓋体４５の正面分離板５７が破断線５８のところで破断されて除去される（図６および図７参照）。すなわちＵ字状切込み６０の内側であって折返し片７２と対応する部分を外から指で押すことによって、折返し片７２が図９Ｂまたは図９Ｃに示すように内側に折返されるために、この後挿入された指で開口の部分を上方に引くことによって、蓋体４５の正面板４７の正面分離板５７が破断線５８に沿って破断されることになる。
【００２７】
そしてこのときに、この正面分離板５７に糊２８によって糊付けされている本体１１の正面分離板２５の部分が、破断線２６のところで破断されて蓋体４５の正面分離板５７の内側に接合された状態で一緒に除去される。ここで本体１１の正面分離板２５の横方向の寸法は、蓋体４５の正面分離板５７の横方向の寸法とほぼ同じか、あるいはそれよりもやや小さくなっており、本体１１の正面分離板２５の側端と蓋体４５の正面分離板５７との横方向の片側のずれ量は１０ｍｍ以内に設定されている。そしてこのような蓋体４５の正面分離板５７と本体１１の正面分離板２５の破断除去によって、包装箱の前面側には、正面分離窓５５が形成される（図６、図７参照）。
【００２８】
次に蓋体４５を除去し、これによって本体１１の上部開口を開放する動作を説明する。この動作は、蓋体４５の正面分離窓５５の上縁に指を掛けて蓋体４５を後方に回動させるようにする。蓋体４５の回動は、蓋体４５の背面板４９の下端の右側のエッジの部分を、本体１１の右側板１４と背面板１５との間の折曲げ線１６を遮断するように形成されたスリット状開口２９の下端の回動支点３０を中心として回動させることにより行なう。すなわち、蓋体４５の回動動作は、背面板４９の下端の部分とスリット状開口２９の下端の回動支点３０との係合位置が回動中心になる。蓋体４５の正面板４７の正面分離板５７を画成する破断線５８を破断して形成される正面分離窓５５の上縁に指を掛けて蓋体４５を上方に持上げることによって、蓋体４５が後方に回動される。そしてこのときに、本体１１の背面板１５の背面分離板３１が破断線３２によって破断されて蓋体４５の背面板４９に接合された状態で一緒に移動される。
【００２９】
このように本実施の形態の包装箱においては、まず包装箱の前面側に正面分離窓５５を形成し、次いでこの正面分離窓５５の上縁の部分に指を引掛けて蓋体４５を除去して本体の上部開口を開放し、陳列用販売ケースとして利用できるようにしている。ここでこの包装箱を何段にも積んで販売する場合には、最上段の包装箱については、正面分離窓５５を形成した後にさらに蓋体４５を除去し、これによって本体１１の上部開口を開放して内容物が上から見えるようにして展示を行なう。これに対して最上段の包装箱の下側であって二段目以降の包装箱については、蓋体４５を除去するとその上の段の包装箱の支持が失われるために、蓋体４５はそのまま残しておき、正面分離窓５５のみを除去した状態にする。これによって正面分離窓５５を通して包装箱内の内容物を前方から見ることができるようになる。
【００３０】
図８はとくに蓋体４５の正面板４７の部分に形成された正面分離板５７を本体１１の正面分離板２５とともに破断線５８、２６によって破断して正面分離窓５５を形成するための構造を拡大して示している。Ｕ字状切込み６０はその上端側の切込み線が斜め内側に向くように傾斜部６１を備えている。傾斜部６１の切込みの途中には、連結つなぎ部６４がある。この連結つなぎ部６４に対して折曲げ線６３は同じ高さかそれよりも下側に位置しており、切込み６０を押圧破断するときに、連結つなぎ部６４がブレーキになるようにしている。そして傾斜部６１の上端は切込みが欠如されて遮断され、連結部６２になっており、この連結部６２の部分を中心にＵ字状切込み６０の内側の折返し片７２が、図９に示すように指で押すと内側へ折返されるようになっている。なおＵ字状切込み６０によって形成される折返し片７２の横方向の幅は、人差し指６５あるいは親指６６で押せる大きさで、破断された後に人差し指６５または親指６６が入る大きさであってよく、２０〜４０ｍｍ、より好ましくは２０〜３５ｍｍの値である。ここで折返し片７２は、上記連結部６２のところで折曲げることができる。さらに折返し片７２はその上端側の部分であって連結部６２の下側に形成された横方向に延びる折曲げ線６３のところで内側に折曲げることができる。しかもこのような折曲げ動作の際に、とくに図９ＢおよびＣに示すように、蓋体４５の正面分離板５７の内側に糊付けされて残存する本体１１の正面分離板２５の下縁を迂回するようにして折返し片７２が折返される（図９Ｃ参照）。
【００３１】
Ｕ字状切込み６０の部分を破断して折返し片７２を内側へ折曲げる場合には、図９Ａに示すようにＵ字状切込み６０を閉じている折返し７２を人差し指６５によって突くようにして押す。この場合には親指６６よりも小さな力で押されるために、折返し片７２は下側の折曲げ線６３の部分を中心として内側へ、例えば９０〜１２０度折返されるようになる。折曲げ線６３を中心として内側へ折返される折返し片７２が、本願発明の第２の折返し片である。また図９Ｃに示すように、親指６６で折り返し片７２の外表面を内側へ強く押すと、連結つなぎ部６４が破断されて折返し片７２は上端側の連結部６２を中心としてより深く折返されることになる。なお連結部６２を中心としてより深く折返される折返し片７２がほぼＵ字状切込み６０と同じ大きさで、本願発明の第１の折返し片である。そして図９Ｂまたは図９Ｃに示す状態で、上記人差し指６５または親指６６で強く折返し片７２の部分を上へ引くことによって、正面分離板２５を内側に接着した蓋体４５の正面分離板５７が破断線５８の部分で破断されて除去され、これによって正面分離窓５５が形成される（図６、図７参照）。
【００３２】
折返し片７２の上端部分に指の力が加わり、その部分から上へ押上げる力によって正面分離板５７が破断除去されることになるが、折返し片７２の上端部分が正面分離板５７の下方に位置するほど、正面分離板５７の下端部の破断線５８に破断開始時の力が集中し、破断し易くなり、容易に正面分離板５７を破断除去できる。人差し指６５などの力の弱い指で折返し片７２を内側へ押すと自動的に第２の折返し片が形成され、第２の折返し片の上端部分はより正面分離板５７の下方に位置することで弱い力でも正面分離板５７を除去することができる。一方、親指６６などの強い力で折返し片７２を内側へ押すと、その力の強さで連結つなぎ部６４が破断され、第１の折返し片を形成する。第１の折返し片により形成された指穴は親指６６の太さで容易に挿入できる大きさが確保できる。折返し片７２の上端部は第２の折返し片よりも上側に位置し、正面分離板５７を除去するときに、より力を必要とするものの、力の強い親指６６で開封するため、問題とはならない。このように本発明は、指で加えることができる力と、指の大きさに合わせ、正面分離板５７を破断除去するための最適な折返し片７２を自動的に形成することができるものである。
【００３３】
従って、９０度〜１８０度に近い角度で折返し片７２を押込むようにして折返した後に、内側に人差し指６５または親指６６を挿入して折返し片７２に掛け、そのまま上方へ引くことによって、内側に正面分離板２５が接合された蓋体４５の正面分離板５７を図６および図７に示すように分離除去することによって正面分離窓５５を形成することができる。そして更に上記正面分離窓５５の上縁に指を掛けて上方に引くことによって、蓋体４５を回動支点３０を中心として背面側に大きく回動させることができ、これによって蓋体４５を本体１１から上述の如く極めて容易に除去することができる。従って、蓋体４５を上部に装着し、これによって本体１１の上部開口を閉塞するようにした包装箱の開封と蓋体４５の除去とが、簡単に達成されることになる。従って、開封動作が極めて簡便かつ容易になるという作用効果を奏することになる。
【００３４】
以上本願発明を図示の実施の形態によって説明したが、本願発明は上記実施の形態によって限定されることなく、本願発明の技術的思想の範囲内において各種の変更が可能である。例えば上記実施の形態において、本体１１内に収納する物品の種類や、大きさ、その数等については任意に変更可能である。またそれに応じて、この包装箱の形状や寸法についても、各種の変更が可能である。
【産業上の利用可能性】
【００３５】
本願発明は、各種の物品を収納して物流に供するとともに、前面側に正面分離窓を形成し、さらに蓋体を除去して開封して本体を陳列ケースとして物品の販売に用いることができるようにした包装箱に広く利用可能である。
【符号の説明】
【００３６】
１１  本体（身）
１２  左側板
１３  正面板
１４  右側板
１５  背面板
１６  折曲げ線
１７  折曲げ線
１８  接合板
２１  糊
２２  糊
２３  接合片
２４  破断線
２５  正面分離板
２６  破断線
２７  開口（切込み）
２８  糊
２９  スリット状開口
３０  回動支点
３１  背面分離板
３２  破断線
３３  糊
３７  折曲げ線
３８  底板
３９  折曲げ線
４０  底部フラップ
４１  半円形の切込み
４５  蓋体
４６  左側板
４７  正面板
４８  右側板
４９  背面板
５０  折曲げ線
５１  折曲げ線（二重）
５２  接合板
５３  糊
５５  正面分離窓
５６  ミシン目
５７  正面分離板
５８  破断線
５９  浅い切込み
６０  Ｕ字状切込み
６１  傾斜部
６２  連結部
６３  折曲げ線
６４  連結つなぎ部
６５  人差し指
６６  親指
６７  折曲げ線
６８  蓋板
６９  折曲げ線
７０  上部フラップ
７１  半円形の切込み
７２  折返し片
【図１】
0005971967.tif 000002
【図２】
0005971967.tif 000003
【図３】
0005971967.tif 000004
【図４】
0005971967.tif 000005
【図５】
0005971967.tif 000006
【図６】
0005971967.tif 000007
【図７】
0005971967.tif 000008
【図８】
0005971967.tif 000009
【図９】
0005971967.tif 000010